(57)【要約】      （修正有）【課題】極めて簡単な作業又は比較的簡単な作業で組立てることができ、またテーブル板をその長手方向に間隔をあけて仕切ることができるとともに、テーブル板を仕切る間隔を容易に変更できる間仕切りボードを提供する。【解決手段】間仕切りボード１０は、テーブル板１３ａ上に置かれ、ボード本体１１とボード保持具１２を備える。ボード本体１１は、テーブル板１３ａの長手方向に直交する方向に延びた状態で起立するように構成される。また、ボード保持具１２はボード本体１１を起立した状態に保持するように構成される。【選択図】図１
0003227286.tif 000002
【実用新案登録請求の範囲】
【請求項１】
テーブル板上に置かれる間仕切りボードにおいて、
前記テーブル板の長手方向に直交する方向に延びた状態で起立するボード本体と、
前記ボード本体を起立した状態に保持するボード保持具と
を備えたことを特徴とする間仕切りボード。
【請求項２】
前記ボード本体及び前記ボード保持具の高さが略同一に形成され、前記ボード本体の奧側端縁近傍にこのボード本体の下端又は上端から前記ボード本体の高さ方向の中央まで鉛直方向に延びる第１スリットが形成され、前記ボード保持具が板状に形成されその幅方向中央にこのボード保持具の上端又は下端から前記ボード保持具の高さ方向の中央まで鉛直方向に延び前記第１スリットに係合可能な第２スリットが形成された請求項１記載の間仕切りボード。
【請求項３】
前記ボード本体及び前記ボード保持具の高さが略同一に形成され、前記ボード本体の奧側端縁に略逆Ｊ字状又は略Ｊ字状に形成された複数のフックが前記ボード本体の高さ方向に所定の間隔をあけて前記ボード本体と一体的に形成され、前記ボード保持具が板状に形成されその幅方向中央に前記複数のフックにそれぞれ遊嵌して係合可能な複数の長孔が鉛直方向に所定の間隔をあけて一列に形成された請求項１記載の間仕切りボード。
【請求項４】
ボード保持具が一対の板状のボード保持具からなり、前記一対のボード保持具の高さが単一のボード本体の高さより小さく形成され、前記ボード本体の奧側端縁近傍及び手前側端縁近傍にこのボード本体の下端から鉛直方向に延びる一対の第１スリットがそれぞれ形成され、前記一対のボード保持具の幅方向中央にこれらのボード保持具の上端から鉛直方向に延び前記一対の第１スリットに係合可能な第２スリットがそれぞれ形成された請求項１記載の間仕切りボード。
【請求項５】
ボード保持具が一対の板状のボード保持具からなり、
前記一対のボード保持具の高さが単一のボード本体の高さより大きく形成され、
前記ボード本体の奧側端縁にこのボード本体の高さ方向に所定の間隔をあけかつその高さ方向に延びる複数の奥側突起が前記ボード本体と一体的にそれぞれ形成され、
前記ボード本体の手前側端縁にこのボード本体の高さ方向に所定の間隔をあけかつその高さ方向に延びる複数の手前側突起が前記ボード本体と一体的にそれぞれ形成され、
前記一対のボード保持具のうち一方のボード保持具の幅方向中央にこのボード保持具の高さ方向に所定の間隔をあけかつその高さ方向に延び更に前記複数の奥側突起の数より多い数の複数の奥側長孔が形成され、
前記一対のボード保持具のうち他方のボード保持具の幅方向中央にこのボード保持具の高さ方向に所定の間隔をあけかつその高さ方向に延び更に前記複数の手前側突起の数より多い数の複数の手前側長孔が形成され、
前記複数の奥側突起が前記複数の奥側長孔に選択的に係止可能に構成され、
前記複数の手前側突起が前記複数の手前側長孔に選択的に係止可能に構成された請求項１記載の間仕切りボード。
【請求項６】
前記ボード保持具が、前記ボード本体より低く形成された板状の第１保持具と、前記ボード本体の下縁に沿って設けられたフレーム状の第２保持具とを有し、
前記ボード本体の奧側端縁近傍にこのボード本体の下端から鉛直方向に延びる第１スリットが形成され、
前記第１保持具の幅方向中央にこの第１保持具の上端から鉛直方向に延び前記第１スリットに係合可能な第２スリットが形成され、
前記第２保持具にその長手方向に延びかつ前記ボード本体の下縁を挿入可能な凹条が形成された請求項１記載の間仕切りボード。
【請求項７】
前記ボード本体が、平面視略Ｌ字状に形成されることにより、前記テーブル板の長手方向に直交する方向に延びる第１本体と、この第１本体の奧側端縁に連設され前記テーブル板の長手方向に延びる第２本体とを有し、
前記ボード保持具が、前記第１本体の下縁に沿って設けられたフレーム状の第１保持具と、前記第２本体の下縁に沿って設けられたフレーム状の第２保持具とを有し、
前記第１保持具にその長手方向に延びかつ前記第１本体の下縁を挿入可能な第１凹条が形成され、
前記第２保持具にその長手方向に延びかつ前記第２本体の下縁を挿入可能な第２凹条が形成された請求項１記載の間仕切りボード。
【請求項８】
前記ボード保持具がフレーム状に形成されかつ前記テーブル板の奧側端縁に立設された壁又は仕切壁に鉛直方向に延びて固定され、前記ボード保持具の長手方向に前記ボード本体の奥側端縁を挿入可能な凹条が形成された請求項１記載の間仕切りボード。
【請求項９】
前記ボード保持具が、前記ボード本体の手前側近傍の下縁に沿って設けられたフレーム状の第１保持具と、前記ボード本体の奥側下縁及び奥側端縁に沿って略Ｌ字状に設けられたフレーム状の第２保持具とを有し、
前記第１保持具にその長手方向に延びかつ前記ボード本体の手前側下縁を挿入可能な第１凹条が形成され、
前記第２保持具にその長手方向に延びかつ前記ボード本体の奥側下縁及び奥側端縁を挿入可能な略Ｌ字状の第２凹条が形成された請求項１記載の間仕切りボード。
【請求項１０】
前記ボード本体と前記ボード保持具との交差部を固定する四角形ブロック状又は円形ブロック状のボード固定台と、前記ボード本体の手前側近傍の下縁に沿って設けられた四角形ブロック状の補助保持具とを更に備え、前記ボード固定台に前記ボード本体と前記ボード保持具との交差部を挿入可能な十字状の第１凹条が形成され、前記補助保持具にその長手方向に延びかつ前記ボード本体の手前側下縁を挿入可能な直線状の第２凹条が形成された請求項２記載の間仕切りボード。
【請求項１１】
前記ボード本体の表面に、文字、写真及びイラストからなる群より選ばれた１種又は２種以上の宣伝広告が表示された請求項１ないし１０いずれか１項に記載の間仕切りボード。
【考案の詳細な説明】
【技術分野】
【０００１】
本考案は、飲食店の長尺テーブル等の横長のテーブル板をその長手方向に間隔をあけて仕切る間仕切りボードに関するものである。
【背景技術】
【０００２】
従来、１人対１人、又は１人対６人程度までの複数人の生徒に対して常時個別指導が可能な複数人対応型個別指導用学習机が開示されている（例えば、特許文献１（請求項１、段落［００１０］、図１、図２）参照。）。この学習机は２人が座れる程度の複数の長尺学習机と、長尺学習机上の長手方向に等間隔に設置された複数の仕切り板からなる。また、長尺学習机及び仕切り板を設置するとき、学習する生徒の人数に合せて、長尺学習机の使用数を適宜調整し、かつ長尺学習机の配置方向は教師が常に生徒の視界内にあって、迅速に個別指導及び情報伝達が可能な方向とする。更に、仕切り板の設置場所は、各生徒が、両隣の生徒の存在が気にならないようにするため、長尺学習机の長手方向に対して垂直方向にそれぞれ設置される。
【０００３】
このように構成された複数人対応型個別指導用学習机では、常時、教師が複数人の生徒に対して、個人指導できる態勢を確保することで、省空間でも、圧迫感がなく、周りに気を使うことなく、勉強に集中でき、かつ教師が複数の生徒に対して個別的に迅速に対応でき、また限られた狭い場所でも学習でき、かつ教師が常時、複数人の生徒に対して、個人指導ができる。
【先行技術文献】
【特許文献】
【０００４】
【特許文献１】実用新案登録第３１５５５３９号公報
【考案の概要】
【考案が解決しようとする課題】
【０００５】
しかし、上記特許文献１に示された複数人対応型個別指導用学習机では、仕切り板が長尺学習机に設置されているため、即ち仕切り板が長尺学習机に固定されているため、仕切り板を机に取付けるのに多くの時間を要する不具合があった。また、上記特許文献１に示された複数人対応型個別指導用学習机では、仕切り板と仕切り板との間隔を変更できない問題点もあった。
【０００６】
本考案の第１の目的は、極めて簡単な作業又は比較的簡単な作業で間仕切りボードを組立てることができ、またテーブル板をその長手方向に間隔をあけて仕切ることができるとともに、テーブル板を仕切る間隔を容易に変更できる、間仕切りボードを提供することにある。本考案の第２の目的は、テーブル板に向い、隣り合って椅子に座った顧客等の視線や声を遮ることができるとともに、顧客等のくしゃみや咳による飛沫の隣席への飛散を防止できる、間仕切りボードを提供することにある。本考案の第３の目的は、ボード本体の高さを調整できる、間仕切りボードを提供することにある。本考案の第４の目的は、ボード本体をボード保持具の凹条から引抜くだけで、ボード本体をテーブル板上から取除くことができる、間仕切りボードを提供することにある。本考案の第５の目的は、ボード本体とボード保持具とのなす角度を直角に固定できる、間仕切りボードを提供することにある。本考案の第６の目的は、飲食店の宣伝効果を期待できる、間仕切りボードを提供することにある。
【課題を解決するための手段】
【０００７】
本考案の第１の観点は、図１及び図２に示すように、テーブル板１３ａ上に置かれる間仕切りボード１０において、テーブル板１３ａの長手方向に直交する方向に延びた状態で起立するボード本体１１と、ボード本体１１を起立した状態に保持するボード保持具１２とを備えたことを特徴とする。
【０００８】
本考案の第２の観点は、第１の観点に基づく考案であって、更に図１及び図２に示すように、ボード本体１１及びボード保持具１２の高さが略同一に形成され、ボード本体１１の奧側端縁近傍にこのボード本体１１の下端又は上端からボード本体１１の高さ方向の中央まで鉛直方向に延びる第１スリット１１ａが形成され、ボード保持具１２が板状に形成されその幅方向中央にこのボード保持具１２の上端又は下端からボード保持具１２の高さ方向の中央まで鉛直方向に延び第１スリット１１ａに係合可能な第２スリット１２ａが形成されたことを特徴とする。
【０００９】
本考案の第３の観点は、第１の観点に基づく考案であって、更に図３及び図４に示すように、ボード本体２１及びボード保持具２２の高さが略同一に形成され、ボード本体２１の奧側端縁に略逆Ｊ字状又は略Ｊ字状に形成された複数のフック２１ａがボード本体２１の高さ方向に所定の間隔をあけてボード本体２１と一体的に形成され、ボード保持具２２が板状に形成されその幅方向中央に複数のフック２１ａにそれぞれ遊嵌して係合可能な複数の長孔２２ａが鉛直方向に所定の間隔をあけて一列に形成されたことを特徴とする。
【００１０】
本考案の第４の観点は、第１の観点に基づく考案であって、更に図５に示すように、ボード保持具が一対の板状のボード保持具３２，３２からなり、一対のボード保持具３２，３２の高さが単一のボード本体３１の高さより小さく形成され、ボード本体３１の奧側端縁近傍及び手前側端縁近傍にこのボード本体３１の下端から鉛直方向に延びる一対の第１スリット３１ａ，３１ａがそれぞれ形成され、一対のボード保持具３２，３２の幅方向中央にこれらのボード保持具３２，３２の上端から鉛直方向に延び一対の第１スリット３１ａ，３１ａに係合可能な第２スリット３２ａ，３２ａがそれぞれ形成されたことを特徴とする。
【００１１】
本考案の第５の観点は、第１の観点に基づく考案であって、更に図６及び図７に示すように、ボード保持具が一対の板状のボード保持具４２，４３からなり、一対のボード保持具４２，４３の高さが単一のボード本体４１の高さより大きく形成され、ボード本体４１の奧側端縁にこのボード本体４１の高さ方向に所定の間隔をあけかつその高さ方向に延びる複数の奥側突起４１ａがボード本体４１と一体的にそれぞれ形成され、ボード本体４１の手前側端縁にこのボード本体４１の高さ方向に所定の間隔をあけかつその高さ方向に延びる複数の手前側突起４１ｂがボード本体４１と一体的にそれぞれ形成され、一対のボード保持具４２，４３のうち一方のボード保持具４２の幅方向中央にこのボード保持具４２の高さ方向に所定の間隔をあけかつその高さ方向に延び更に複数の奥側突起４１ａの数より多い数の複数の奥側長孔４２ａが形成され、一対のボード保持具４２，４３のうち他方のボード保持具４３の幅方向中央にこのボード保持具４３の高さ方向に所定の間隔をあけかつその高さ方向に延び更に複数の手前側突起４１ｂの数より多い数の複数の手前側長孔４３ａが形成され、複数の奥側突起４１ａが複数の奥側長孔４２ａに選択的に係止可能に構成され、複数の手前側突起４１ｂが複数の手前側長孔４３ａに選択的に係止可能に構成されたことを特徴とする。
【００１２】
本考案の第６の観点は、第１の観点に基づく考案であって、更に図８に示すように、ボード保持具５２が、ボード本体５１より低く形成された板状の第１保持具５２ａと、ボード本体５１の下縁に沿って設けられたフレーム状の第２保持具５２ｂとを有し、ボード本体５１の奧側端縁近傍にこのボード本体５１の下端から鉛直方向に延びる第１スリット５１ａが形成され、第１保持具５２ａの幅方向中央にこの第１保持具５２ａの上端から鉛直方向に延び第１スリット５１ａに係合可能な第２スリット５２ｃが形成され、第２保持具５２ｂにその長手方向に延びかつボード本体５１の下縁を挿入可能な凹条５２ｄが形成されたことを特徴とする。
【００１３】
本考案の第７の観点は、第１の観点に基づく考案であって、更に図９及び図１０に示すように、ボード本体６１が、平面視略Ｌ字状に形成されることにより、テーブル板の長手方向に直交する方向に延びる第１本体６１ａと、この第１本体６１ａの奧側端縁に連設されテーブル板の長手方向に延びる第２本体６１ｂとを有し、ボード保持具６２が、第１本体６１ａの下縁に沿って設けられたフレーム状の第１保持具６２ａと、第２本体６１ｂの下縁に沿って設けられたフレーム状の第２保持具６２ｂとを有し、第１保持具６２ａにその長手方向に延びかつ第１本体６１ａの下縁を挿入可能な第１凹条６２ｃが形成され、第２保持具６２ｂにその長手方向に延びかつ第２本体６１ｂの下縁を挿入可能な第２凹条６２ｄが形成されたことを特徴とする。
【００１４】
本考案の第８の観点は、第１の観点に基づく考案であって、更に図１１及び図１２に示すように、ボード保持具７２がフレーム状に形成されかつテーブル板の奧側端縁に立設された壁７３又は仕切壁に鉛直方向に延びて固定され、ボード保持具７２の長手方向にボード本体７１の奥側端縁を挿入可能な凹条７２ａが形成されたことを特徴とする。
【００１５】
本考案の第９の観点は、第１の観点に基づく考案であって、更に図１３〜図１５に示すように、ボード保持具８２が、ボード本体８１の手前側近傍の下縁に沿って設けられたフレーム状の第１保持具８２ａと、ボード本体８１の奥側下縁及び奥側端縁に沿って略Ｌ字状に設けられたフレーム状の第２保持具８２ｂとを有し、第１保持具８２ａにその長手方向に延びかつボード本体８１の手前側下縁を挿入可能な第１凹条８２ｃが形成され、第２保持具８２ｂにその長手方向に延びかつボード本体８１の奥側下縁及び奥側端縁を挿入可能な略Ｌ字状の第２凹条８２ｄが形成されたことを特徴とする。
【００１６】
本考案の第１０の観点は、第２の観点に基づく考案であって、更に図１６及び図１７に示すように、ボード本体９１とボード保持具９２との交差部を固定する角形ブロック状又は円形ブロック状のボード固定台９３，１０３と、ボード本体９１の手前側近傍の下縁に沿って設けられた四角形ブロック状の補助保持具９４とを更に備え、ボード固定台９３，１０３にボード本体９１とボード保持具９２との交差部を挿入可能な十字状の第１凹条９３ｃ，１０３ｃが形成され、補助保持具９４にその長手方向に延びかつボード本体９１の手前側下縁を挿入可能な直線状の第２凹条９４ｃが形成されたことを特徴とする。
【００１７】
本考案の第１１の観点は、第１ないし第１０の観点のいずれかに基づく考案であって、更に図９及び図１１に示すように、ボード本体６１，７１の表面に、文字６１ｃ，７１ａ、写真及びイラストからなる群より選ばれた１種又は２種以上の宣伝広告が表示されたことを特徴とする。
【考案の効果】
【００１８】
本考案の第１の観点の間仕切りボードでは、テーブル板の長手方向に直交する方向に延びた状態で起立し、ボード保持具がボード本体を起立した状態に保持するので、この間仕切りボードを飲食店の長尺テーブル等の横長のテーブル板上に置くだけで、隣り合って椅子に座った顧客等の視線や声を遮ることができるとともに、顧客等のくしゃみや咳による飛沫の隣席への飛散を防止できる。
【００１９】
本考案の第２の観点の間仕切りボードでは、ボード本体の第１スリットにボード保持具の第２スリットを係合するという極めて簡単な作業で間仕切りボードを組立てることができる。また、ボード本体の第１スリットにボード保持具の第２スリットを係合することにより、ボード本体を起立した状態に保つことができるので、飲食店の長尺テーブル等の横長のテーブル板をその長手方向に間隔をあけて仕切ることができる。更に、間仕切りボードをテーブル板上に置くだけであるので、テーブル板を仕切る間隔を容易に変更できる。
【００２０】
本考案の第３の観点の間仕切りボードでは、ボード保持具の複数の長孔をボード本体の複数のフックにそれぞれ遊嵌して係合するという極めて簡単な作業で間仕切りボードを組立てることができる。また、ボード保持具の複数の長孔をボード本体の複数のフックにそれぞれ遊嵌して係合することにより、ボード本体を起立した状態に保つことができるので、上記と同様に、飲食店の長尺テーブル等の横長のテーブル板をその長手方向に間隔をあけて仕切ることができる。更に、間仕切りボードをテーブル板上に置くだけであるので、上記と同様に、テーブル板を仕切る間隔を容易に変更できる。
【００２１】
本考案の第４の観点の間仕切りボードでは、一対のボード保持具の第２スリットをボード本体の一対の第１スリットにそれぞれ係合するという比較的簡単な作業で間仕切りボードを組立てることができる。また、一対のボード保持具の第２スリットをボード本体の一対の第１スリットにそれぞれ係合することにより、ボード本体を起立した状態に保つことができるので、上記と同様に、飲食店の長尺テーブル等の横長のテーブル板をその長手方向に間隔をあけて仕切ることができる。更に、間仕切りボードをテーブル板上に置くだけであるので、上記と同様に、テーブル板を仕切る間隔を容易に変更できる。
【００２２】
本考案の第５の観点の間仕切りボードでは、ボード本体の複数の奥側突起を一方のボード保持具の複数の奥側長孔に選択的に係止し、ボード本体の複数の手前側突起を他方のボード保持具の複数の手前側長孔に選択的に係止するという比較的簡単な作業で間仕切りボードを組立てることができるとともに、ボード本体の高さを調整できる。また、ボード本体の複数の奥側突起を一方のボード保持具の複数の奥側長孔に選択的に係止し、複数の手前側突起を他方のボード保持具の複数の手前側長孔に選択的に係止することにより、ボード本体を起立した状態に保つことができるので、上記と同様に、飲食店の長尺テーブル等の横長のテーブル板をその長手方向に間隔をあけて仕切ることができる。更に、間仕切りボードをテーブル板上に置くだけであるので、上記と同様に、テーブル板を仕切る間隔を容易に変更できる。
【００２３】
本考案の第６の観点の間仕切りボードでは、ボード保持具の第１保持具の第２スリットをボード本体の第１スリットに係合し、ボード本体の下縁をボード保持具の第２保持具の凹条に挿入するという比較的簡単な作業で間仕切りボードを組立てることができる。また、ボード保持具の第１保持具の第２スリットをボード本体の第１スリットに係合し、ボード本体の下縁をボード保持具の第２保持具の凹条に挿入することにより、ボード本体を起立した状態に保つことができるので、上記と同様に、飲食店の長尺テーブル等の横長のテーブル板をその長手方向に間隔をあけて仕切ることができる。更に、間仕切りボードをテーブル板上に置くだけであるので、上記と同様に、テーブル板を仕切る間隔を容易に変更できる。
【００２４】
本考案の第７の観点の間仕切りボードでは、ボード本体の第１本体の下縁をボード保持具の第１保持具の第１凹条に挿入し、ボード本体の第２本体の下縁をボード保持具の第２保持具の第２凹条に挿入するという比較的簡単な作業で間仕切りボードを組立てることができる。また、ボード本体の第１本体の下縁をボード保持具の第１保持具の第１凹条に挿入し、ボード本体の第２本体の下縁をボード保持具の第２保持具の第２凹条に挿入することにより、ボード本体を起立した状態に保つことができるので、上記と同様に、飲食店の長尺テーブル等の横長のテーブル板をその長手方向に間隔をあけて仕切ることができる。更に、間仕切りボードをテーブル板上に置くだけであるので、上記と同様に、テーブル板を仕切る間隔を容易に変更できる。
【００２５】
本考案の第８の観点の間仕切りボードでは、テーブル板の奧側端縁に立設された壁又は仕切壁にボード保持具を固定し、ボード本体の奥側端縁をボード保持具の凹条に挿入するという比較的簡単な作業で間仕切りボードを組立てることができる。また、テーブル板の奧側端縁に立設された壁又は仕切壁にボード保持具を固定し、ボード本体の奥側端縁をボード保持具の凹条に挿入することにより、ボード本体を起立した状態に保つことができるので、上記と同様に、飲食店の長尺テーブル等の横長のテーブル板をその長手方向に間隔をあけて仕切ることができる。更に、ボード本体をボード保持具の凹条から引抜くだけで、ボード本体をテーブル板上から取除くことができる。
【００２６】
本考案の第９の観点の間仕切りボードでは、ボード本体の手前側下縁を第１保持具の第１凹条に挿入し、ボード本体の奥側下縁及び奥側端縁を第２保持具の第２凹条に挿入するという比較的簡単な作業で間仕切りボードを組立てることができる。また、ボード本体の手前側下縁を第１保持具の第１凹条に挿入し、ボード本体の奥側下縁及び奥側端縁を第２保持具の第２凹条に挿入することにより、ボード本体を起立した状態に保つことができるので、上記と同様に、飲食店の長尺テーブル等の横長のテーブル板をその長手方向に間隔をあけて仕切ることができる。更に、間仕切りボードをテーブル板上に置くだけであるので、上記と同様に、テーブル板を仕切る間隔を容易に変更できる。
【００２７】
本考案の第１０の観点の間仕切りボードでは、ボード本体とボード保持具との交差部を固定するボード固定台が、上記交差部を挿入可能な十字状の第１凹条を有するので、上記交差部をボード固定台の第１凹条に挿入することにより、ボード本体とボード保持具とのなす角度を直角に固定できる。また、ボード本体の手前側近傍の下縁に沿って設けられた補助保持具にその長手方向に延びかつボード本体の手前側下縁を挿入可能な直線状の第２凹条を形成したので、ボード本体を補助保持具の第２凹条に挿入することにより、ボード本体が手前に傾くのを防止できる。
【００２８】
本考案の第１１の観点の間仕切りボードでは、ボード本体の表面に、文字、写真及びイラストからなる群より選ばれた１種又は２種以上の宣伝広告を表示したので、飲食店の宣伝効果を期待できる。
【図面の簡単な説明】
【００２９】
【図１】本考案第１実施形態の間仕切りボードをテーブル板上に置いて長机の左右を仕切っている状態を示す斜視図である。
【図２】その間仕切りボードの組立手順を示す斜視図である。
【図３】本考案第２実施形態の間仕切りボードの組立手順を示す要部破断側面図である。
【図４】その間仕切りボードの斜視図である。
【図５】本考案第３実施形態の間仕切りボードの組立手順を示す斜視図である。
【図６】本考案第４実施形態の間仕切りボードのボード本体を一対のボード保持具の上部に組付ける手順を示す斜視図である。
【図７】その間仕切りボードのボード本体を一対のボード保持具の下部に組付ける手順を示す斜視図である。
【図８】本考案第５実施形態の間仕切りボードの組立手順を示す斜視図である。
【図９】本考案第６実施形態の間仕切りボードの斜視図である。
【図１０】図９のＡ−Ａ線断面図である。
【図１１】本考案第７実施形態の間仕切りボードの斜視図である。
【図１２】図１１のＢ−Ｂ線断面図である。
【図１３】本考案第８実施形態の間仕切りボードの斜視図である。
【図１４】図１３のＣ−Ｃ断面図である。
【図１５】図１３のＤ矢視図である。
【図１６】本考案第９実施形態の間仕切りボードの組立手順を示す斜視図である。
【図１７】本考案第１０実施形態の間仕切りボードの組立手順を示す斜視図である。
【考案を実施するための形態】
【００３０】
次に本考案を実施するための形態を図面に基づいて説明する。
【００３１】
＜第１の実施の形態＞
図１に示すように、間仕切りボード１０は、テーブル板１３ａ上に置かれ、ボード本体１１とボード保持具１２とを備える。テーブル板１３ａは、この実施の形態では、飲食店の長尺テーブルの横長のテーブル板である。ボード本体１１は、テーブル板１３ａの長手方向に直交する方向に延びた状態で起立しかつ一部がテーブル板１３ａの手前側端縁より更に手前に突出するように構成される。このボード本体１１は、ポリ塩化ビニル板、アクリル板、発泡スチレンボード、プラスチック段ボール等の不透明のプラスチック製板により略長方形状に形成され、ボード本体１１の長さは、横長のテーブル板１３ａの幅（奥行き長さ）より大きく形成される。また、ボード保持具１２は、ボード本体１１を起立した状態に保持するように構成される。このボード保持具１２は、ポリ塩化ビニル板、アクリル板、発泡スチレンボード、プラスチック段ボール等の不透明のプラスチック製板により上方に向うに従って幅が狭くなる略台形状に形成される。ボード本体１１とボード保持具１２とは同一色であることが好ましい。
【００３２】
ボード本体１１及びボード保持具１２の高さは略同一に形成される。ボード本体１１には、その奧側端縁近傍にこのボード本体１１の下端からボード本体１１の高さ方向の中央まで鉛直方向に延びる第１スリット１１ａが形成される。この第１スリット１１ａの幅はボード保持具１２の厚さより僅かに広く形成される。また、板状のボード保持具１２には、その幅方向中央にこのボード保持具１２の上端からボード保持具１２の高さ方向の中央まで鉛直方向に延び第１スリット１１ａに係合可能な第２スリット１２ａが形成される。この第２スリット１２ａの幅はボード本体の厚さより僅かに広く形成される。
【００３３】
このように構成された間仕切りボード１０を組立てるには、ボード保持具１２の第２スリット１２ａを、図２（ａ）の実線矢印で示すように、ボード本体１１の第１スリット１１ａに係合するだけで済む（図２（ｂ））。このように極めて簡単な作業で間仕切りボード１０を組立てることができる。また、ボード保持具１２の第２スリット１２ａをボード本体１１の第１スリット１１ａに係合することにより、ボード本体１１を起立した状態に保つことができる。
【００３４】
このように組立てられた間仕切りボード１０を使用する場合、飲食店の長尺テーブル１３の横長のテーブル板１３ａ上であって隣り合う椅子１４，１４の間に位置するように間仕切りボード１０を置く（図１）。このとき、ボード本体１１がテーブル板１３ａの長手方向に直交する方向に延びた状態で起立し、かつボード本体１１の一部がテーブル板１３ａの手前側端縁より更に手前に突出した状態になる。この結果、ボード本体１１により隣り合って椅子１４，１４に座った顧客等の視線や声を遮ることができるとともに、顧客等のくしゃみや咳による飛沫の隣席への飛散を防止できる。また、間仕切りボード１０をテーブル板１３ａ上に置くだけであるので、テーブル板１３ａを仕切る間隔を容易に変更できる。
【００３５】
＜第２の実施の形態＞
図３及び図４は本考案の第２の実施の形態を示す。この実施の形態では、ボード本体２１の奧側端縁に略逆Ｊ字状に形成された３個のフック２１ａがボード本体２１と一体的に形成され、ボード保持具２２に上記３個のフック２１ａにそれぞれ係合可能な３個の長孔２２ａが形成される。略長方形状に形成されたボード本体２１の高さと、板状に形成されたボード保持具２２の高さは、略同一に形成される。また、ボード本体２１の３個のフック２１ａは、ボード本体２１の奧側端縁に沿いかつボード本体２１の高さ方向に所定の間隔をあけてボード本体２１と一体的に形成される。また、ボード保持具２２の３個の長孔２２ａは、ボード本体２１の幅方向中央に所定の間隔をあけかつ鉛直方向に延びて一列に形成される。更に、逆Ｊ字状に形成されたフック２１ａの凹部２１ｂの幅はボード保持具２２の厚さより僅かに広く形成され、長孔２２ａの長さはフック２１ａの長さより僅かに大きく形成され、長孔２２ａの幅はフック２１ａの幅より僅かに広く形成される。これにより、上記３個の長孔２２ａは３個のフック２１ａにそれぞれ遊嵌して係合可能に構成される。上記以外は第１の実施の形態と同一に構成される。
【００３６】
このように構成された間仕切りボード２０を組立てるには、先ず、ボード保持具２２の３個の長孔２２ａを、図３（ａ）の破線矢印で示すように、ボード本体２１の３個のフック２１ａにそれぞれ遊嵌する。次に、ボード本体２１を、図３（ｂ）の一点鎖線矢印で示すように、ボード本体２１に対して上方に移動させて３個の長孔２２ａを３個のフック２１ａにそれぞれ係合させるだけで済む（図３（ｃ））。このように極めて簡単な作業で間仕切りボード２０を組立てることができる。また、ボード保持具２２の３個の長孔２２ａをボード本体２１の３個のフック２１ａにそれぞれ遊嵌して係合することにより、ボード本体２１を起立した状態に保つことができる。
【００３７】
このように組立てられた間仕切りボード２０の使用方法は、第１の実施の形態の間仕切りボードの使用方法と略同様であるので、繰返しの説明を省略する。
【００３８】
＜第３の実施の形態＞
図５は本考案の第３の実施の形態を示す。この実施の形態では、ボード保持具が一対の板状のボード保持具３２，３２からなり、一対のボード保持具３２，３２の高さが単一のボード本体３１の高さより小さく形成される。そして、ボード本体３１の奧側端縁近傍及び手前側端縁近傍には、このボード本体３１の下端から鉛直方向に延びる一対の第１スリット３１ａ，３１ａがそれぞれ形成される。また、一対のボード保持具３２，３２は、底辺が平らな略半円板状に形成される。更に、一対のボード保持具３２，３２の幅方向中央には、これらのボード保持具３２，３２の上端から鉛直方向に延び一対の第１スリット３１ａ，３１ａに係合可能な第２スリット３２ａ，３２ａがそれぞれ形成される。なお、第２スリット３２ａの長さは、ボード保持具３２の幅方向の中央の最も高い位置での高さの約半分の高さに設定される。また、第１スリット３１ａの長さは、ボード保持具３２の幅方向の中央の最も高い位置での高さから第２スリット３２ａの長さを差し引いた長さ、即ち第２スリット３２ａの長さと略同一に設定される。上記以外は第１の実施の形態と同一に構成される。
【００３９】
このように構成された間仕切りボード３０を組立てるには、図５（ａ）に示すように、一対のボード保持具３２，３２の第２スリット３２ａ，３２ａをボード本体３１の一対の第１スリット３１ａ，３１ａにそれぞれ係合するだけで済む。このように比較的簡単な作業で間仕切りボード３０を組立てることができる。また、一対のボード保持具３２，３２の第２スリット３２ａ，３２ａをボード本体３１の一対の第１スリット３１ａ，３１ａに係合することにより、ボード本体３１を起立した状態に保つことができる。
【００４０】
このように組立てられた間仕切りボード３０の使用方法は、第１の実施の形態の間仕切りボードの使用方法と略同様であるので、繰返しの説明を省略する。
【００４１】
＜第４の実施の形態＞
図６及び図７は本考案の第４の実施の形態を示す。この実施の形態では、ボード保持具が一対の板状のボード保持具４２，４３からなり、一対のボード保持具４２，４３の高さが単一のボード本体４１の高さより大きく形成される。ボード本体４１の奧側端縁には、このボード本体４１の高さ方向に所定の間隔をあけかつその高さ方向に延びる３個の奥側突起４１ａがボード本体４１と一体的にそれぞれ形成される。また、ボード本体４１の手前側端縁にこのボード本体４１の高さ方向に所定の間隔をあけかつその高さ方向に延びる３個の手前側突起４１ｂがボード本体４１と一体的にそれぞれ形成される。
【００４２】
一方、一対のボード保持具４２，４３は、上方に向うに従って幅が狭くなる略台形板状にそれぞれ形成される。また、一対のボード保持具４２，４３のうち一方のボード保持具４２の幅方向中央には、このボード保持具４２の高さ方向に所定の間隔をあけかつその高さ方向に延び更に３個の奥側突起４１ａより数の多い５個の奥側長孔４２ａが形成される。また、一対のボード保持具４２，４３のうち他方のボード保持具４３の幅方向中央にこのボード保持具４３の高さ方向に所定の間隔をあけかつその高さ方向に延び更に３個の手前側突起４１ｂより数の多い５個の手前側長孔４３ａが形成される。更に、３個の奥側突起４１ａが５個の奥側長孔４２ａに選択的に係止可能に構成され、３個の手前側突起が５個の手前側長孔４３に選択的に係止可能に構成される。なお、奥側長孔４２ａの長さは奥側突起４１ａの長さより僅かに大きく形成され、奥側長孔４２ａの幅は奥側突起４１ａの長さより僅かに大きく形成される。また、手前側長孔４３ａの長さは手前側突起４１ｂの長さより僅かに大きく形成され、手前側長孔４３ａの幅は手前側突起４１ｂの長さより僅かに大きく形成される。上記以外は第１の実施の形態と同一に構成される。
【００４３】
このように構成された間仕切りボード４０を、ボード本体４１が高い位置になるように組立てるには、ボード本体４１の３個の奥側突起を、図６（ａ）の実線矢印で示すように、一方のボード保持具４２の５個の奥側長孔４２ａのうち上から３個の奥側長孔４２ａに係止し、ボード本体４１の３個の手前側突起４１ｂを、図６（ａ）の破線矢印で示すように、他方のボード保持具４３の５個の手前側長孔４３ａのうち上から３個の手前側長孔４３ａに係止するだけで済む（図６（ｂ））。このように比較的簡単な作業でボード本体４１が高い位置になるように間仕切りボード４０を組立てることができる。
【００４４】
一方、間仕切りボード４０を、ボード本体４１が低い位置になるように組立てるには、ボード本体４１の３個の奥側突起４１ａを、図７（ａ）の実線矢印で示すように、一方のボード保持具４２の５個の奥側長孔４２ａのうち下から３個の奥側長孔４２ａに係止し、ボード本体４１の３個の手前側突起４１ｂを、図７（ａ）の破線矢印で示すように、他方のボード保持具４３の５個の手前側長孔４３ａのうち下から３個の手前側長孔４３ａに係止するだけで済む（図７（ｂ））。このように比較的簡単な作業でボード本体４１が低い位置になるように間仕切りボード４０を組立てることができる。また、３個の奥側突起４１ａを５個の奥側長孔４２ａに選択的に係止し、３個の手前側突起４１ｂを５個の手前側長孔４３ａに選択的に係止することにより、ボード本体４１を高い位置又は低い位置に起立した状態に保つことができる。
【００４５】
このように組立てられた間仕切りボード４０では、必要に応じてボード本体４１の高さを調整できる。上記以外の間仕切りボード４０の使用方法は、第１の実施の形態の間仕切りボードの使用方法と略同様であるので、繰返しの説明を省略する。
【００４６】
＜第５の実施の形態＞
図８は本考案の第５の実施の形態を示す。この実施の形態では、ボード保持具５２が、ボード本体５１より低く形成された板状の第１保持具５２ａと、ボード本体５１の下縁に沿って設けられたフレーム状の第２保持具５２ｂとを有する。第１保持具５２ａは、第３の実施の形態のボード保持具と同形同大に形成される。また、ボード本体５１の奧側端縁近傍には、このボード本体５１の下端から鉛直方向に延びる第１スリット５１ａが形成され、第１保持具５２ａには、その幅方向中央にこの第１保持具５２ａの上端から鉛直方向に延び第１スリット５１ａに係合可能な第２スリット５２ｃが形成される。上記第１及び第２スリット５１ａ，５２ｃは、第３の実施の形態の第１及び第２スリットと同一形状に形成される。更に、第２保持具５２ｂは、アルミ合金、発泡スチレンボード、プラスチック段ボール等によりフレーム状に形成され、第２保持具５２ｂには、その長手方向に延びかつボード本体５１の下縁を挿入可能な凹条５２ｄが形成される。この凹条５２ｄの幅はボード本体５１の厚さより僅かに小さく形成される。これは、ボード本体５１の下縁を第２保持具５２ａの凹条５２ｄに圧入して、ボード本体５１が凹条５２ｄから容易に離脱しないようにするためである。上記以外は第１の実施の形態と同一に構成される。
【００４７】
このように構成された間仕切りボード５０を組立てるには、第１保持具５２ａの第２スリット５２ｃをボード本体５１の第１スリット５１ａに係合し、ボード本体５１の下縁を第２保持具５２ｂの凹条５２ｄに挿入（圧入）するだけで済む。このように比較的簡単な作業で間仕切りボード５０を組立てることができる。また、第１保持具５２ａの第２スリット５２ｃをボード本体５１の第１スリット５１ａに係合し、ボード本体５１の下縁を第２保持具５２ｂの凹条５２ｄに挿入（圧入）することにより、ボード本体５１を起立した状態に保つことができる。
【００４８】
このように組立てられた間仕切りボード５０の使用方法は、第１の実施の形態の間仕切りボードの使用方法と略同様であるので、繰返しの説明を省略する。
【００４９】
＜第６の実施の形態＞
図９及び図１０は本考案の第６の実施の形態を示す。この実施の形態では、ボード本体６１が、平面視略Ｌ字状に形成されることにより、テーブル板の長手方向に直交する方向に延びる第１本体６１ａと、この第１本体６１ａの奧側端縁に連設されテーブル板の長手方向に延びる第２本体６１ｂとを有する。また、ボード保持具６２は、第１本体６１ａの下縁に沿って設けられたフレーム状の第１保持具６２ａと、第２本体６１ｂの下縁に沿って設けられたフレーム状の第２保持具６２ｂとを有する。また、第１保持具６２ａには、その長手方向に延びかつ第１本体６１ａの下縁を挿入可能な第１凹条６２ｃが形成され、第２保持具６２ｂには、その長手方向に延びかつ第２本体６１ｂの下縁を挿入可能な第２凹条６２ｄが形成される。そして、第１凹条６１ｃの幅は第１本体６１ａの厚さより僅かに小さく形成され、第２凹条６２ｄの幅は第２本体６１ｂの厚さより僅かに小さく形成される。これは、第１本体６１ａの下縁を第１凹条６２ｃに圧入して、第１本体６１ａが第１凹条６２ｃから容易に離脱しないようにし、第２本体６１ｂの下縁を第２凹条６２ｄに圧入して、第２本体６１ｂが第２凹条６２ｄから容易に離脱しないようにするためである。更に、ボード本体６１のうち第１本体６１ａの表面には、『さわやか○○ビール』という宣伝広告の文字６１ｃが印刷又はステッカーの貼付等により表示される。上記以外は第１の実施の形態と同一に構成される。
【００５０】
このように構成された間仕切りボード６０を組立てるには、ボード本体６１の第１本体６１ａの下縁をボード保持具６２の第１保持具６２ａの第１凹条６２ｃに挿入（圧入）し、ボード本体６１の第２本体６１ｂの下縁をボード保持具６２の第２保持具６２ｂの第２凹条６２ｄに挿入（圧入）するだけで済む（図９及び図１０）。このように比較的簡単な作業で間仕切りボード６０を組立てることができる。また、第１本体６１ａの下縁を第１保持具６２ａの第１凹条６２ｃに挿入（圧入）し、第２本体６１ｂの下縁を第２保持具６２ｂの第２凹条６２ｄに挿入（圧入）することにより、ボード本体６１を起立した状態に保つことができる。
【００５１】
このように組立てられた間仕切りボード６０では、ボード本体６１の第１本体６１ａ表面に、『さわやか○○ビール』という宣伝広告の文字６１ｃが表示されているので、飲食店の宣伝効果を期待できる。また、この実施の形態の間仕切りボード６０の使用方法は、第１の実施の形態の間仕切りボードの使用方法と略同様であるので、繰返しの説明を省略する。
【００５２】
＜第７の実施の形態＞
図１１及び図１２は本考案の第７の実施の形態を示す。この実施の形態では、ボード保持具７２が、フレーム状に形成されかつテーブル板の奧側端縁に立設された壁７３（図１２）に鉛直方向に延びて固定される。ボード保持具７２の壁７３へ固定する方法は特に限定しないが、両面粘着テープ等（図示せず）により固定してもよい。その際、再剥離性のある両面粘着テープを使用すれば、任意にボード本体７１の位置を変更することができるので、好ましい。また、ボード保持具７２には、その長手方向にボード本体７１の奥側端縁を挿入可能な凹条７２ａが形成される。そして、凹条７２ａの幅はボード本体７１の厚さより僅かに小さく形成される。これは、ボード本体７１の奥側端縁を凹条７２ａに圧入して、ボード本体７１が凹条７２ａから容易に離脱しないようにするためである。更に、ボード本体７１の表面には、『居酒屋○○』という宣伝広告の文字７１ａが印刷又はステッカーの貼付等により表示される。上記以外は第１の実施の形態と同一に構成される。
【００５３】
このように構成された間仕切りボード７０を組立てるには、テーブル板の奧側端縁に立設された壁７３（図１２）にボード保持具７２を固定し、ボード本体７１の奥側端縁をボード保持具７２の凹条７２ａに挿入（圧入）するだけで済む（図１１及び図１２）。このように比較的簡単な作業で間仕切りボード７０を組立てることができる。また、テーブル板の奧側端縁に立設された壁７３にボード保持具７２を固定し、ボード本体７１の奥側端縁をボード保持具７２の凹条７２ａに挿入（圧入）することにより、ボード本体７１を起立した状態に保つことができる。
【００５４】
このように組立てられた間仕切りボード７０では、ボード本体７１の表面に、『居酒屋○○』という宣伝広告の文字７１ａが表示されているので、飲食店の宣伝効果を期待できる。また、ボード本体７１をボード保持具７２の凹条７２ａから引抜くだけで、ボード本体７１をテーブル板上から取除くことができる。上記以外の間仕切りボード７０の使用方法は、第１の実施の形態の間仕切りボードの使用方法と略同様であるので、繰返しの説明を省略する。
【００５５】
＜第８の実施の形態＞
図１３〜図１５は本考案の第８の実施の形態を示す。この実施の形態では、ボード保持具８２が、ボード本体８１の手前側近傍の下縁に沿って設けられたフレーム状の第１保持具８２ａと、ボード本体８１の奥側下縁及び奥側端縁に沿って略Ｌ字状に設けられたフレーム状の第２保持具８２ｂとを有する。第１保持具８２ａには、その長手方向に延びかつボード本体８１の手前側下縁を挿入可能な第１凹条８２ｃが形成される。また、第２保持具８２ｂには、その長手方向に延びかつボード本体８１の奥側下縁及び奥側端縁を挿入可能な略Ｌ字状の第２凹条８２ｄが形成される。そして、第１及び第２凹条８２ｃ，８２ｄの幅はボード本体８１の厚さより僅かに小さく形成される。これは、ボード本体８１の手前側下縁を第１保持具８２ａの第１凹条８２ｃに圧入して、ボード本体８１が第１凹条８２ｃから容易に離脱しないようにし、ボード本体８１の奥側下縁及び奥側端縁を第２保持具８２ｂの第２凹条８２ｄに圧入して、ボード本体８１が第２凹条８２ｄから容易に離脱しないようにするためである。上記以外は第１の実施の形態と同一に構成される。
【００５６】
このように構成された間仕切りボード８０を組立てるには、ボード本体８１の手前側下縁を第１保持具８２ａの第１凹条８２ｃに挿入（圧入）し、ボード本体８１の奥側下縁及び奥側端縁を第２保持具８２ｂの第２凹条８２ｄに挿入（圧入）するだけで済む（図１３〜図１５）。このように比較的簡単な作業で間仕切りボード８０を組立てることができる。また、ボード本体８１の手前側下縁を第１保持具８２ａの第１凹条８２ｃに挿入（圧入）し、ボード本体８１の奥側下縁及び奥側端縁を第２保持具８２ｂの第２凹条８２ｄに挿入（圧入）することにより、ボード本体８１を起立した状態に保つことができる。
【００５７】
このように組立てられた間仕切りボード８０の使用方法は、第１の実施の形態の間仕切りボードの使用方法と略同様であるので、繰返しの説明を省略する。
【００５８】
＜第９の実施の形態＞
図１６は本考案の第９の実施の形態を示す。この実施の形態では、ボード本体９１とボード保持具９２との交差部を固定するボード固定台９３と、ボード本体９１の手前側近傍の下縁に沿って設けられた補助保持具９４とを更に備える。ボード固定台９３は、発泡スチレンボード、発泡エチレンボード、プラスチック段ボール、或いはプラスチック段ボール及び硬質の紙又はフィルムの積層体等により四角形ブロック状に形成される。また、ボード固定台９３には、ボード本体９１とボード保持具９２との交差部を挿入可能な十字状の第１凹条９３ｃが形成される。上記ボード固定台９３は、この実施の形態では、比較的厚い硬質の四角形状の紙又はフィルムにより形成された基部９３ａ上に、この基部９３ａより小さくかつ厚い四角形状の４つのプラスチック段ボールからなる四角形片９３ｂを接着して形成される。このとき、各四角形片９３ｂを互いに離して基台９３ａ上に接着することにより、各四角形片９３ｂ間にボード本体９１及びボード保持具９２の厚さより僅かに広い十字状の第１凹条９３ｃが形成される。
【００５９】
一方、補助保持具９４は、発泡スチレンボード、発泡エチレンボード、プラスチック段ボール、或いはプラスチック段ボール及び硬質の紙又はフィルムの積層体等によりボード固定台９３より小さい四角形ブロック状に形成される。また、補助保持具９４には、その長手方向に延びかつボード本体９１の手前側下縁を挿入可能な直線状の第２凹条９４ｃが形成される。上記補助保持具９４は、この実施の形態では、比較的厚い硬質の四角形状の紙又はフィルムにより形成された基部９４ａに、この基部９４ａより小さくかつ厚い四角形状のプラスチック段ボールからなる一対の四角形片９４ｂ，９４ｂを接着して形成される。このとき、一対の四角形片９４ｂ，９４ｂを互いに離して基台９４ａ上に接着することにより、一対の四角形片９４ｂ，９４ｂ間にボード本体９１の厚さより僅かに広い直線状の第２凹条９４ｃが形成される。また、ボード本体９１は、第１の実施の形態のボード本体と略同形同大に形成され、第１の実施の形態のボード本体と同様に第１スリット９１ａを有する。更に、ボード保持具９２は、第１の実施の形態のボード保持具より幅が広く形成され、第１の実施の形態のボード保持具と同様に第２スリット９２ａを有する。上記以外は第１の実施の形態と同一に構成される。
【００６０】
このように構成された間仕切りボード９０の組立手順を説明する。先ず、ボード保持具９２の第２スリット９２ａを、図１６（ａ）の実線矢印で示すように、ボード本体９１の第１スリット９１ａに係合したする（図１６（ｂ））。次に、ボード本体９１とボード保持具９２との交差部を、図１６（ｂ）の破線矢印で示すように、ボード固定台９３の十字状の第１凹条９３ｃに挿入し、ボード本体９１を、図１６（ｂ）の一点鎖線矢印で示すように、補助保持具９４の直線状の第２凹条９４ｃに挿入する（図１６（ｃ））。このように比較的簡単な作業で間仕切りボード９０を組立てることができる。また、ボード保持具９２の第２スリット９２ａをボード本体９１の第１スリット９１ａに係合することにより、ボード本体９１を起立した状態に保つことができる。また、ボード本体９１とボード保持具９２との交差部をボード固定台９３の十字状の第１凹条９３ｃに挿入することにより、ボード本体９１とボード保持具９２とのなす角度を直角に固定できる。更に、ボード本体９１を補助保持具９４の直線状の第２凹条９４ｃに挿入することにより、ボード本体９１が手前に傾くのを防止できる。
【００６１】
このように組立てられた間仕切りボード９０の使用方法は、第１の実施の形態の間仕切りボードの使用方法と略同様であるので、繰返しの説明を省略する。
【００６２】
＜第１０の実施の形態＞
図１７は本考案の第１０の実施の形態を示す。図１７において図１６と同一符号は同一部品を示す。この実施の形態では、ボード固定台１０３が、発泡スチレンボード、発泡エチレンボード、プラスチック段ボール、或いはプラスチック段ボール及び硬質の紙又はフィルムの積層体等により円形ブロック状に形成される。また、ボード固定台１０３には、ボード本体９１とボード保持具９２との交差部を挿入可能な十字状の第１凹条１０３ｃが形成される。上記ボード固定台１０３は、この実施の形態では、比較的厚い硬質の円形状の紙又はフィルムにより形成された基部１０３ａ上に、この基部１０３ａより小さくかつ厚い扇形状の４つのプラスチック段ボールからなる扇形片１０３ｂを接着して形成される。このとき、各扇形片１０３ｂを互いに離して基台１０３ａ上に接着することにより、各扇形片１０３ｂ間にボード本体９１及びボード保持具９２の厚さより僅かに広い十字状の第１凹条１０３ｃが形成される。上記以外は第９の実施の形態と同一に構成される。
【００６３】
このように構成された間仕切りボード１００の組立手順を説明する。先ず、ボード保持具９２の第２スリット９２ａを、図１７（ａ）の実線矢印で示すように、ボード本体９１の第１スリット９１ａに係合したする（図１７（ｂ））。次に、ボード本体９１とボード保持具９２との交差部を、図１７（ｂ）の破線矢印で示すように、ボード固定台１０３の十字状の第１凹条１０３ｃに挿入し、ボード本体９１を、図１７（ｂ）の破線矢印で示すように、補助保持具９４の直線状の第２凹条９４ｃに挿入する（図１７（ｃ））。このように比較的簡単な作業で間仕切りボード１００を組立てることができる。また、ボード保持具９２の第２スリット９２ａをボード本体９１の第１スリット９１ａに係合することにより、ボード本体９１を起立した状態に保つことができる。また、ボード本体９１とボード保持具９２との交差部をボード固定台１０３の十字状の第１凹条１０３ｃに挿入することにより、ボード本体９１とボード保持具９２とのなす角度を直角に固定できる。更に、ボード本体９１を補助保持具９４の直線状の第２凹条９４ｃに挿入することにより、ボード本体９１が手前に傾くのを防止できる。
【００６４】
このように組立てられた間仕切りボード１００の使用方法は、第１の実施の形態の間仕切りボードの使用方法と略同様であるので、繰返しの説明を省略する。
【００６５】
なお、上記第１〜第１０の実施の形態では、テーブル板として飲食店の長尺テーブルの横長のテーブル板を挙げたが、飲食店のカウンターテーブルの横長のテーブル板や、大学や学習塾の長尺テーブルの横長のテーブル板等でもよい。また、上記第１の実施の形態では、第１スリットをボード本体の奧側端縁近傍にこのボード本体の下端からボード本体の高さ方向の中央まで鉛直方向に延びて形成し、第２スリットをボード保持具の幅方向中央にこのボード保持具の上端からボード保持具の高さ方向の中央まで鉛直方向に延びて形成したが、第１スリットをボード本体の奧側端縁近傍にこのボード本体の上端からボード本体の高さ方向の中央まで鉛直方向に延びて形成し、第２スリットをボード保持具の幅方向中央にこのボード保持具の下端からボード保持具の高さ方向の中央まで鉛直方向に延びて形成してもよい。また、上記第１の実施の形態では、ボード本体の一部をテーブル板の手前側端縁より更に手前に突出させたが、ボード本体の手前側端縁をテーブル板の手前側端縁に一致させてもよく、或いはテーブル板の手前側端縁よりも若干奥側に位置するようにしてもよい。また、上記第２の実施の形態では、ボード本体の奧側端縁に複数のフックを略逆Ｊ字状に形成したが、ボード本体の奧側端縁に複数のフックを略Ｊ字状に形成してもよい。
【００６６】
また、上記第２の実施の形態では、フック及び長孔の数をそれぞれ３個ずつとしたが、２個ずつ又は４個ずつ以上であってもよい。また、上記第４の実施の形態では、ボード本体に３個の奥側突起と３個の手前側突起を形成し、一方のボード保持具に５個の奥側長孔を形成し、他方のボード保持具に５個の手前側長孔を形成したが、一対のボード保持具の奥側長孔及び手前側長孔の数を、ボード本体の奥側突起及び手前側突起の数より多くすれば、上記数に限定されるものではない。また、上記第６の実施の形態では、ボード本体の表面に『さわやか○○ビール』という宣伝広告の文字を表示し、上記第７の実施の形態では、ボード本体の表面に『居酒屋○○』という宣伝広告の文字を表示したが、ボード本体の表面に、上記とは異なる文字、写真及びイラストからなる群より選ばれた１種又は２種以上の宣伝広告を表示してもよく、これらの表示は第１〜５の実施の形態や、第８〜第１０の形態にも適用できる。また、上記第７の実施の形態では、フレーム状のボード保持具を、テーブル板の奧側端縁に立設された壁又は仕切壁に鉛直方向に延びて固定したが、フレーム状のボード保持具を、テーブル板の奧側端縁に立設された仕切壁に鉛直方向に延びて固定してもよい。更に、上記第９の実施の形態では、ボード固定台を四角形ブロック状に形成したが、五角形ブロック状、六角形ブロック状又はその他の角形ブロック状に形成してもよい。
【符号の説明】
【００６７】
１０，２０，３０，４０，５０，６０，７０，８０，９０，１００  間仕切りボード
１１，２１，３１，４１，５１，６１，７１，８１，９１  ボード本体
１１ａ，３１ａ，５１ａ，９１ａ  第１スリット
１２，２２，３２，４２，４３，５２，６２，７２，８２，９２  ボード保持具
１２ａ，３２ａ，５２ｃ，９２ａ  第２スリット
１３ａ  テーブル板
２１ａ  フック
２２ａ  長孔
４１ａ  奥側突起
４１ｂ  手前側突起
４２ａ  奥側長孔
４３ａ  手前側長孔
５２ａ  第１保持具
５２ｂ  第２保持具
６１ａ  第１本体
６１ｂ  第２本体
６１ｃ，７１ａ  文字
６２ａ，８２ａ  第１保持具
６２ｂ，８２ｂ  第２保持具
６２ｃ，８２ｃ，９３ｃ，１０３ｃ  第１凹条
６２ｄ，８２ｄ，９４ｃ  第２凹条
７２ａ  凹条
７３  壁
９３，１０３  ボード固定台
９４  補助保持具
【図１】
0003227286.tif 000003
【図２】
0003227286.tif 000004
【図３】
0003227286.tif 000005
【図４】
0003227286.tif 000006
【図５】
0003227286.tif 000007
【図６】
0003227286.tif 000008
【図７】
0003227286.tif 000009
【図８】
0003227286.tif 000010
【図９】
0003227286.tif 000011
【図１０】
0003227286.tif 000012
【図１１】
0003227286.tif 000013
【図１２】
0003227286.tif 000014
【図１３】
0003227286.tif 000015
【図１４】
0003227286.tif 000016
【図１５】
0003227286.tif 000017
【図１６】
0003227286.tif 000018
【図１７】
0003227286.tif 000019